(57)【特許請求の範囲】
【請求項１】
同大円筒状のエアゾール容器を前後２連に連結するように、これらのエアゾール容器の頭頂部の周囲に装着され、かつ周面部の両側が平面状の連結部材と、この連結部材の周面部に脱着自在に装着される噴射器基部と、前方への噴射口を有するパイプ付きのノズル及び揺動操作される操作部を有する噴射器本体とを備え、ノズルが、それぞれの頭頂部から突出するステムに嵌着される嵌着部及びこれらの嵌着部に連通して、放出される内容物をパイプに流入させる流路部を有する２液混合型エアゾール容器用噴射器において、
操作部が、前後方向へ縦長に形成されてノズルを押し下げ操作する押し下げ操作面及びその下方に向けて形成された周面部を有し、この周面部の前端部が、パイプを突出させる開口部を有すると共に、前記押し下げ操作面を上下に揺動させるようにインテグラルヒンジ部を介して噴射器基部の前部に支持され、
前記ノズルの両側の側面における嵌着部間の前後方向の中間位置にピンが側方へ向けて突設されると共に、前記操作部の両側の前記周面部に、前記ノズルを抱持し、かつ上方から前記ピンに回転自在に係合する凹部を有する抱持片が形成され、
前記噴射器基部に、噴射器本体の側面をカバーするように、上方へ向けて両側の側面部が平面状に形成されると共に、これらの側面部に、連結部材の両側の周面部にそれぞれ係止され、かつ側方へ揺動自在の脱着操作面が同一面状に形成されたことを特徴とする２液混合型エアゾール容器用噴射器。
【請求項２】
脱着操作面が、側面部にインテグラルヒンジ部を残してスリットを形成することにより構成され、
前記脱着操作面に、連結部材の側面に突設された係止爪を前記脱着操作面の側方への揺動で脱離可能に係入させる係止穴が形成されたことを特徴とする請求項１記載の２液混合型エアゾール容器用噴射器。
【発明の詳細な説明】
【０００１】
【発明の属する技術分野】
本発明は、２連に連結のエアゾール容器のそれぞれの頭頂部から突出するステムに嵌着し、これらのステムから放出された内容物を混合状態で噴射する噴射器本体が、頭頂部周囲に装着される噴射器基部に揺動自在に支持されている２液混合型エアゾール容器用噴射器に関するものである。
【０００２】
【従来の技術】
この種の２液混合型エアゾール容器用噴射器として、特開平１１−１１５５４号公報により、ステム配列方向に２連に連結されたエアゾール容器の連結形状の長辺方向、即ち前後方向に延びて前方へ噴射するパイプ状ノズルを有すると共に、操作部を長辺方向の一方の端部でキャップ状基部に揺動自在に支持させ、揺動操作により双方のステム間の中間位置を押し下げるようにしたのが開示されている。一方、特開２０００−１０９１５０号公報によれば、双方のステムに対する均一な押し下げ操作を容易にする観点で、操作部を２連連結形状の短辺方向の一方の端部で揺動自在に支持させ、短辺方向のパイプで噴射を行う２液混合型エアゾール容器用噴射器が開示されている。また、この噴射器では、操作部の側面をカバーするようにキャップ状基部の長辺方向の両側に形成された周面部に、上下方向の中間位置にインテグラルヒンジ部を有し、その下側部分にエアゾール容器側の係止爪を係入させる係止穴を備えた脱着操作面が形成されている。
【０００３】
【発明が解決しようとする課題】
しかしながら、このような連結噴射器については、その長辺方向の一方の端部で揺動自在に支持させてステムに嵌着するノズルを押し下げ操作する前者の噴射器の方が操作性に優れているが、分別廃棄を行うための噴射器のエアゾール容器からの脱着については配慮されていない。また、後者の噴射器の場合、双方のステムに均一な押圧力を与え易くするために、操作部のヒンジ位置と反対の短辺方向の端部を押し下げ操作させるようになっているが、反面では操作がしにくくなる問題がある。また、両側の脱着操作面は、その上側部分に摘むことにより噴射器基部をエアゾール容器から脱離させることができるが、ノズルとの位置関係で長辺方向の両側に位置することになり、噴射操作時に脱着操作面を指で誤操作してしまう恐れがある。
【０００４】
本発明は、このような点に鑑みて、前後２連に連結のエアゾール容器から脱離操作可能で、かつ簡単な構成で前後２連のそれぞれのステムに対して絶えず安定した押し下げ操作を行わせることのできる２液混合型エアゾール容器用噴射器を提供することを目的とする。
【０００５】
【課題を解決するための手段】
本発明は、前述の目的を達成するために、請求項１により、同大円筒状のエアゾール容器を前後２連に連結するように、これらのエアゾール容器の頭頂部の周囲に装着され、かつ周面部の両側が平面状の連結部材と、この連結部材の周面部に脱着自在に装着される噴射器基部と、前方への噴射口を有するパイプ付きのノズル及び揺動操作される操作部を有する噴射器本体とを備え、ノズルが、それぞれの頭頂部から突出するステムに嵌着される嵌着部及びこれらの嵌着部に連通して、放出される内容物をパイプに流入させる流路部を有する２液混合型エアゾール容器用噴射器において、操作部（１０）が、前後方向に縦長に形成されてノズル（２０）を押下げ操作する押し下げ操作面（１１）及びその下方に向けて形成された周面部（１２）を有し、この周面部の前端部が、パイプ（２０a）を突出させる開口部（１４）を有すると共に、押し下げ操作面（１１）を上下に揺動させるようにインテグラルヒンジ部（１３）を介して噴射器基部（３０）の前部に支持され、ノズル（２０）の両側の側面における嵌着部（２４）間の前後方向の中間位置にピン（２７）が側方へ向けて突設されると共に、操作部（１０）の両側の周面部（１２）に、ノズル（２０）を抱持し、かつ上方からピン（２７）に回転自在に係合する凹部（１９）を有する抱持片（１８）が形成され、噴射器基部（３０）に、噴射器本体（９）の側面をカバーするように、上方へ向けて両側の側面部（３２）が平面状に形成されると共に、これらの側面部（３２）に、連結部材（４０）の両側の周面部（４１）にそれぞれ係止され、かつ側方へ揺動自在の脱着操作面（３６）が同一面状に形成されたことを特徴とする。
【０００６】
押し下げ操作面（１１）が、上方から指で押し下げ操作されると、抱持片（１８）でノズル側面を抱持した状態で、ピン（２７）を凹部（１９）が揺動位置に応じて係合位置を回転変位しつつステム（３）間の中間位置を押し下げる。噴射器は、脱着操作面（３６）の側方への指操作によりエアゾール容器（１）から脱離される。
【０００７】
【発明の実施の形態】
図１乃至図６を基に本発明の実施の形態による２液混合型エアゾール容器用噴射器を説明する。噴射器は、エアゾール容器１のそれぞれの頭頂部内に設けられた弁機構の上方付勢状態のステム３に嵌着して噴射を行う噴射器本体９が、エアゾール容器１を前後２連に連結する連結部材４０に装着されるキャップ状噴射器基部３０に、押し下げ操作により揺動自在に支持されて構成されている。
【０００８】
噴射器本体９は、図４に示すように、押し下げ操作面となる上面部１１及びその下側に向けて形成された周面部１２を有し、前後２連に連結された同大の円筒状エアゾール容器１の前後方向、即ちステム配列方向に沿って縦長形状に形成され、噴射用開口部１４が形成された操作部１０と、その下側で前後方向、即ち縦方向へ延びて開口部１４から突出して先端部を噴射口２１とするパイプ２０ａ及び双方のステム３に嵌着する嵌着部２４間の中間位置にそれぞれのステム３から放出された内容物を案内してパイプ２０ａの基端部に流入させる流路部２０ｂを有するノズル２０とを備えている。操作部１０は、連結したエアゾール容器１の前後方向に対して横方向の両側の周面部１２の前端部に開口部１４を形成すると共に、この前端部の下端に形成されたインテグラルヒンジ部１３を介して噴射器基部３０の上面前部に揺動自在に支持されている。
【０００９】
ノズル２０の流路部２０ｂは、図５に示すように、嵌着部２４が両側に下設された流路基部２９と、この流路基部の縦方向の一方の端部にインテグラルヒンジ部２９ｂで連結され、かつパイプ２０ａが中間位置からインテグラルヒンジ部２９ｂと反対方向へ一体に延設された流路蓋２９ａとで形成されている。流路基部２９には、双方の嵌着部２４に連通する流入口２２から中間位置に向かう流路２６が、隆起部２６ｂと流路蓋２９ａの周壁２６ｃとで形成されている。一方、流路蓋２９ａの中間位置には、パイプ２０ａの基端部に連通する流入口２５が形成され、その互いの仕切り部２５ａ及び流路２６の終端の仕切り部２６ａが流路蓋２９ａの閉鎖状態で互いに当接するようになっている。これにより、双方の所属の流入口２２から流入した内容物は流路２６を経由して流入口２５に流入し、パイプ２０ａ内で互いに混合されて噴射口２１から噴射される。開放状態では、流路２６が露出されることにより、ノズル２０内を水洗いすることができる。
【００１０】
さらに、流路蓋２９ａの縦方向に沿った両側の側面であるノズル側面２０ｃにおける双方のステム３間の中間位置に対応する位置には、断面円形のピン２７が横方向である側方へ向けて突設されている。一方、操作部１０の前後方向に沿った両側の周面部１２には、ノズル２０の両側の側面を抱持する抱持片１８が下方へ向けて形成され、その下縁から上方へ向けてピン２７を挿入させて係合する凹部１９が形成されている。この凹部は下方へ向けて徐々に広く開口し、上端部はピン２７の直径に対応して相互に回転自在に半円状に形成されている。両側の抱持片１８の離間幅は、ノズル側面２０ｃに相互に摺動し得る程度に圧接する幅に設定されている。ピン２７の先端部には、抱持片１８の外方への変位を拘束するストッパ２７ａが膨出により形成されている。これにより、ノズル２０は抱持片１８で把持されて操作部１０に一体化されるが、敢えてこのような一体化を行わせない場合には略接触状態で抱持させる。
【００１１】
エアゾール容器１は、その頭頂部の周囲に連結部材４０が装着されて連結されると共に、シュリンク包装又は底部のホルダを追加装着する等で一体化されている。この連結部材は、図１、図２及び図６に示すように、２個のエアゾール容器１の全周に対する周面部４１及び個々に包囲する周面部４２を備えると共に、上面部４３にそれぞれの頭頂部を露出させるために円形の開口部４３ａが形成され、さらに装着位置を確保させるリブ４５、４６が形成されている。さらに、周面部４１の縦方向に沿った両側には、下方へ向けて外方へ突出する傾斜側面を有する噴射器脱着用の係止爪４８が突設されている。
【００１２】
噴射器基部３０には、図３に示すように、噴射器本体９の縦方向に沿った両側の側面をカバーする両側の側面部３２が上方へ向けて形成されている。この側面部には、上下方向の中間位置にインテグラルヒンジ部３４を残してスリット３５を方形状に形成することにより、脱着操作面３６が同一面状に形成されている。そのインテグラルヒンジ部３４に対して下側部分には、係止爪４８を係入させる係止穴３７が形成されている。これにより、脱着操作面３６は側方へ揺動自在であり、その両側の上側部分３６ａを摘むと係止穴３７は係止爪４８から脱離可能になっている。
【００１３】
このように構成された２液混合型エアゾール容器用噴射器の動作は次の通りである。ノズル２０の双方の嵌着部２４をステム３にそれぞれ嵌着させた状態で、上下方向に隙間を残す開口部１４からパイプ２０ａを突出させ、抱持片１８で両側のノズル側面２０ｃを抱持してピン２７に凹部１９が係入するように噴射器基部３０を連結部材４０に押し込む。その際、噴射器基部３０は、その脱着操作面３６の下縁が連結部材４０の係止爪４８に当接して開拡しつつ下降し、係止爪４８が係止穴３７に自動的に係入することにより、連結部材４０の周囲に装着される。
【００１４】
操作部１０の上面部１１を押し下げ操作すると、両側のステム３の中間位置で凹部１９を介してピン２７が押し下げ操作される。その際、凹部１９の上端縁はピン２７に対して回転変位自在であることにより、操作部１０がその前端を支点として揺動しても略垂直下方へ押圧され、両側のステム３は均一に押し下げ駆動される。また、ノズル２０を抱持片１８が抱持することにより、ノズル２０の横振れも抑制され、経時的にも相互の位置関係が保持され、ノズル２０の略垂直下方への安定した下動が確保される。その前後方向の配向により噴射方向が前方であり、縦長２連のエアゾール容器１が手で握り易くなり、操作部１０を鍵形に曲げた人差し指で容易に操作できる。
【００１５】
双方のステム３から放出された内容物は両側の対称形状の流路２６を経由してパイプ２０ａの流入口２５に流入し、その出口で均一に混合された状態で噴射口２１から噴射される。粘性が高い等により内容物が固化して噴射がスムーズに行われなくなった場合には、両側の脱着操作面３６の上側部分３６ａを親指及び残りの指で摘むと、インテグラルヒンジ部３４を支点としてその下側部分が外方へ回動し、係止穴３７が係止爪４８から脱離し、そのまま噴射器基部３０を上方へ抜くことができる。次いで、ノズル２０を外し、流路蓋２９ａを開放して内部を水等で洗浄することができる。エアゾール容器１を廃棄する場合も、同様にして噴射器を外すことができる。
【００１６】
【発明の効果】
請求項１の発明によれば、前後方向に縦長の操作部が前端部を支点として揺動操作されることにより操作性を確保した上で、噴射器がエアゾール容器に対して脱着自在となり、分別廃棄が可能となる。操作部が、ステムに嵌着するノズルを抱持した状態でその中間位置に突設されたピンに回転変位自在に係合して押し下げられることにより、前方へ噴射を行う前後２連のステムに対してノズルの均一な安定した垂直駆動が保証される。脱着操作面が側方へ揺動自在であることにより、噴射操作時に誤って指で脱着操作面に触れることがなく、誤操作による脱離が回避される。
【００１７】
また、請求項２の発明によれば、指での揺動操作による脱離を可能にする脱着操作面が簡単に構成される。
【図面の簡単な説明】
【図１】  本発明の実施の形態による２液混合型エアゾール容器用噴射器の断面図である。
【図２】  同噴射器の図１に対して直交方向の断面図である。
【図３】  同噴射器の斜視図である。
【図４】  同噴射器の部分的な分解斜視図である。
【図５】  同噴射器のノズルを示すもので、同図Ａはその開放状態の平面図、同図Ｂはその開放状態の断面図である。
【図６】  エアゾール容器を連結する連結部材の平面図である。
【符号の説明】
１  エアゾール容器
３  ステム
９  噴射器本体
１０  操作部
１１  操作部の上面部
１２  操作部の周面部
１３  操作部のインテグラルヒンジ部
１４  開口部
１８  抱持片
１９  凹部
２０  ノズル
２０ａ  パイプ
２０ｂ  流路部
２０ｃ  ノズル側面
２１  噴射口
２４  嵌着部
２７  ピン
３０  噴射器基部
３２  噴射器基部の側面部
３４  脱着操作面のインテグラルヒンジ部
３６  脱着操作面
３７  係止穴
４０  連結部材
４１  連結部材の周面部
４８  係止爪
【図１】
0004671496.tif 000002
【図２】
0004671496.tif 000003
【図３】
0004671496.tif 000004
【図４】
0004671496.tif 000005
【図５】
0004671496.tif 000006
【図６】
0004671496.tif 000007